(57)【要約】【課題】  簡単な構成でドラムの巻付面の径の変化に対して押さえローラ間の距離を変化させることを可能とし、ワイヤロープに張力の変動があっても常に正常に巻き取りを行うことができるようにする。【解決手段】  ドラム支持部材を取付けているフレーム１１に設けた支持ブラケット４と、回転自在な押えローラ２２を有し、支持ブラケット４に回動自在に枢支された第１支持アーム２と、回転自在な押えローラ３３を有し、第１支持アーム２に対し回動自在に枢支された第２支持アーム３と、押えローラ２２、３３がワイヤロープ９をドラム８側へ押圧するよう第１支持アーム２及び第２支持アーム３を付勢するスプリング５とを備える。【選択図】  図１
2006168874.tif 000002
【特許請求の範囲】
【請求項１】
ドラム支持部材又はドラム支持部材を取付けているフレームに設けた支持ブラケットと、回転自在な押えローラを有し、支持ブラケットに回動自在に枢支された第１支持アームと、回転自在な押えローラを有し、第１支持アームに対し回動自在に枢支された第２支持アームと、押えローラがワイヤロープをドラム側へ押圧するよう第１支持アーム及び第２支持アームを付勢するスプリングとを備えたドラムのワイヤロープ乱巻防止装置。
【請求項２】
第２支持アームを第１支持アームと共通の枢支ピンで枢支した請求項１記載のドラムのワイヤロープ乱巻防止装置。
【発明の詳細な説明】
【技術分野】
【０００１】
本発明は、クレーン等におけるウインチのドラムのワイヤロープ乱巻防止装置に関するものである。
【背景技術】
【０００２】
クレーン等のウインチでワイヤロープを巻き上げるときには、ワイヤロープをドラムに順序正しく巻き付ける必要がある。
正常な状態では、ワイヤロープはドラムに層状に巻き付けられ、下層の隣接するワイヤロープ間に形成される谷部に収まるように、その上層のワイヤロープが順次巻き付けられて行く。
【０００３】
ところが、巻き上げの際に何らかの原因でワイヤロープの張力が一瞬緩められる現象が発生すると、ドラムに巻き付けられるワイヤロープの谷部にずれが生じ、そのずれた部分に上層側で巻き付けられるワイヤロープが食い込んだり、あるいは本来巻き付けられる谷部から外れたりすることによって、正常な巻き付けが行われず乱巻が発生する。乱巻が発生するとワイヤロープの素線切れが生じる。
【０００４】
このような事態を防止するため、ウインチのドラムの巻付面に接近する方向へばねで付勢された一個の押えローラを設け、この押えローラでワイヤロープをドラムの巻付面へ押し付けることで乱巻を防止する乱巻防止装置が提案されている（特許文献１参照）。
しかし、この乱巻防止装置は、押えローラが一個しか設けられていないので、十分な乱巻防止効果を発揮することができない。
【０００５】
即ち、ワイヤロープに作用する張力に変化が生じて緩みが起こると、それによって生じるワイヤロープの弛みがドラムの幅方向に発生する。
押えローラが一個だけでは、これを抑えることができず、ワイヤロープが下層の谷部に収まらないで浮き上がり、ずれた状態で巻き取られるのを阻止できない。
従って、その上層に巻き取られるワイヤロープは、正常でないずれた部分に食い込んで乱巻が発生する。
そこで、複数の押えローラを支持体で支持し、支持体を付勢手段で巻付面の方向に押すことにより、押えローラでワイヤロープを押し付けて浮き上がりを防止するようにした乱巻防止装置が提案されている（特許文献２参照）。
【０００６】
この乱巻防止装置は、二個の押えローラでワイヤロープを押し、ワイヤロープに作用する張力に変化が生じても、ワイヤロープの繰り出し側から遠い位置にある押えローラが常時ワイヤロープを巻付面に押し付けて浮き上がりを防止するので、押えローラが一個のものに比べれば乱巻防止効果は大きくなる。このワイヤロープの浮き上がり防止の効果は、一方の押えローラと他方の押えローラとの間の距離が十分大きく、ドラム軸と各押えローラの軸とを結ぶ線の夾角が広角である方が大きい。
【０００７】
しかしながら、この乱巻防止装置では、二個の押えローラが一つの支持部材に設けられているため、一方の押えローラと他方の押えローラとの間の距離が支持部材の長さで限定され一定となっている。
ドラムへのワイヤロープの巻層数が増加すると、巻付面の径が大きくなる。このため、一方の押えローラと他方の押えローラとの間の距離が一定であれば、ワイヤロープの巻層数が増加するにつれてドラム軸と各押えローラの軸とを結ぶ線の夾角が狭角となり、ワイヤロープの浮き上がり防止の効果が低下する。
【０００８】
ワイヤロープの巻層数が最多の状態におけるドラムの巻付面の径に合わせて一方の押えローラと他方の押えローラとの間の距離を大きく設定すれば、ワイヤロープの巻層数が最多の状態に対応できるが、その場合支持部材の長さを長くしなければならず、装置が大型化する。また、巻層数が減少すると押えローラでワイヤロープを適切に押し付けることができなくなる。
【特許文献１】特開昭６４−３４８９６号公報
【特許文献２】特開２００３−１２２７９号公報
【発明の開示】
【発明が解決しようとする課題】
【０００９】
本発明は、ワイヤロープ乱巻防止装置についての上記問題を解決するものであって、簡単な構成でドラムの巻付面の径の変化に対して押さえローラ間の距離を変化させることを可能とし、ワイヤロープに張力の変動があっても常に正常に巻き取りを行うことができるようにするドラムのワイヤロープ乱巻防止装置を提供することを目的とする。
【課題を解決するための手段】
【００１０】
本発明のドラムのワイヤロープ乱巻防止装置は、ドラム支持部材又はドラム支持部材を取付けているフレームに設けた支持ブラケットと、回転自在な押えローラを有し、支持ブラケットに回動自在に枢支された第１支持アームと、回転自在な押えローラを有し、第１支持アームに対し回動自在に枢支された第２支持アームと、押えローラがワイヤロープをドラム側へ押圧するよう第１支持アーム及び第２支持アームを付勢するスプリングとを備えている。
【００１１】
このワイヤロープ乱巻防止装置では、第２支持アームが第１支持アームに対し回動自在に枢支されており、押えローラがワイヤロープをドラム側へ押圧するよう、スプリングが第１支持アーム及び第２支持アームを付勢する。
このため、ドラムへのワイヤロープの巻層数が増加して巻付面の径が大きくなっても、一方の押えローラと他方の押えローラとの間の距離が増加して、ドラム軸と各押えローラの軸とを結ぶ線の夾角が広角な状態で維持されるので、浮き上がり防止の効果が低下することはなく、ワイヤロープに張力の変動があっても常に正常に巻き取りを行うことができる。
第２支持アームを第１支持アームと共通の枢支ピンで枢支すると、部品点数が少なくなり、構造がより簡素化される。
【発明の効果】
【００１２】
本発明のドラムのワイヤロープ乱巻防止装置によれば、簡単な構成でドラムの巻付面の径の変化に対して押さえローラ間の距離を変化させることが可能で、ワイヤロープに張力の変動があっても乱巻を生ずることなく常に正常に巻き取りを行うことができる。
【発明を実施するための最良の形態】
【００１３】
図１は、本発明の実施の一形態を示すドラムのワイヤロープ乱巻防止装置の正面図、図２は巻層数が１層の状態を示すワイヤロープ乱巻防止装置の正面図、図３は図１のＡ−Ａ線断面図である。
図１に示すように、ウインチのドラム８はドラム軸８８によってフレーム１０に立設されたドラム支持部材（図示略）に、回動自在に支持されており、このドラム８にはワイヤロープ９が巻き付けられている。
【００１４】
このドラム８のワイヤロープ乱巻防止装置１は、フレーム１０に設けた支持ブラケット４と、支持ブラケット４に枢支ピン７で回動自在に枢支された第１支持アーム２と、第１支持アーム２に枢支ピン６で回動自在に枢支された第２支持アーム３とを備えている。
第１支持アーム２の先端部と第２支持アーム３の先端部には、それぞれ押えローラ２２、３３が回転自在に取り付けられている。
【００１５】
枢支ピン６にはスプリング５が装着されている。このスプリング５は、一端が第１支持アーム２の中央下面側のストッパプレート２４に押止めされ、他端が第２支持アーム３の中央上面側のストッパプレート３４に押止めされており、押えローラ２２、３３がワイヤロープ９をドラム８の巻付面８Ｆ側へ押圧するよう第１支持アーム２及び第２支持アーム３を付勢している。
【００１６】
このワイヤロープ乱巻防止装置１は、ドラム８へのワイヤロープ９の巻層数が１層の場合には、巻付面８Ｆの径が小さいので、図２に示すように、押えローラ２２、３３がドラム軸８８に接近して、ワイヤロープ９を押圧している。
このとき、押えローラ２２、３３間の距離はやや小さくなるが、ドラム軸８８と各押えローラ２２、３３の軸とを結ぶ線の夾角θは広角な状態となっている。
【００１７】
ウインチの巻き上げでドラム８へのワイヤロープ９の巻層数が増加して巻付面８Ｆの径が大きくなると、図１のように、押えローラ２２、３３がドラム軸８８から離隔するように移動する。このとき、第１支持アーム２と第２支持アーム３とは、互いに先端部が離隔するように回動するので、一方の押えローラ２２と他方の押えローラ３３との間の距離が増加して、ドラム軸８８と各押えローラ２２、３３の軸とを結ぶ線の夾角θが広角な状態で維持される。従って、浮き上がり防止の効果が低下することはなく、ワイヤロープに張力の変動があっても乱巻の発生を抑え常に正常に巻き取りを行うことができる。
【００１８】
ここで、スプリング５には、巻ばねを使用しているが、押えローラ２２、３３がワイヤロープ９をドラム８の巻付面８Ｆ側へ押圧するよう第１支持アーム２及び第２支持アーム３を適切に付勢できるものであれば、板ばね等、他のスプリングを使用しても差し支えない。
また、押えローラ２２、３３は、第１支持アーム２及び第２支持アーム３の先端部でなくても、ワイヤロープ９をドラム８の巻付面８Ｆ側へ適切に押圧できるように取り付けてあれば良い。
【００１９】
図４は、本発明の他の実施の形態を示すドラムのワイヤロープ乱巻防止装置の正面図、図５は巻層数が１層の状態を示すワイヤロープ乱巻防止装置の正面図、図６は図４のＢ−Ｂ線断面図である。                                                                このドラム８のワイヤロープ乱巻防止装置１１では、フレーム１０に設けた支持ブラケット４に、第１支持アーム２と第２支持アーム３とが共通の枢支ピン１７で枢支されている。
【００２０】
枢支ピン１７にはスプリング５が装着されている。このスプリング５は、一端が第１支持アーム２の基端部上面側のストッパプレート２５に押止めされ、他端が第２支持アーム３の基端部上面側のストッパプレート３５に押止めされており、押えローラ２２、３３がワイヤロープ９をドラム８の巻付面８Ｆ側へ押圧するよう第１支持アーム２及び第２支持アーム３を付勢している。
【００２１】
その他の構成は図１のものと同様であるので、同一部材には同一の符号を付し、詳細な説明は省略する。
このワイヤロープ乱巻防止装置１１は、ドラム８へのワイヤロープ９の巻層数が１層の場合には、巻付面８Ｆの径が小さいので、図５に示すように、押えローラ２２、３３がドラム軸８８に接近して、ワイヤロープ９を押圧している。
このとき、押えローラ２２、３３間の距離はやや小さくなるが、ドラム軸８８と各押えローラ２２、３３の軸とを結ぶ線の夾角θは広角な状態となっている。
【００２２】
ウインチの巻き上げでドラム８へのワイヤロープ９の巻層数が増加して巻付面８Ｆの径が大きくなると、図４のように、押えローラ２２、３３がドラム軸８８から離隔するように移動する。このとき、第１支持アーム２と第２支持アーム３とは、互いに先端部が離隔するように回動するので、一方の押えローラ２２と他方の押えローラ３３との間の距離が増加して、ドラム軸８８と各押えローラ２２、３３の軸とを結ぶ線の夾角θが広角な状態で維持される。
【００２３】
従って、浮き上がり防止の効果が低下することはなく、ワイヤロープに張力の変動があっても乱巻の発生を抑え常に正常に巻き取りを行うことができる。
このワイヤロープ乱巻防止装置１１では、一方の押えローラ２２と他方の押えローラ３３との間の距離の増加量は、図１のものより更に大きくなっているので、浮き上がり防止の効果がより確実に発揮される。
また、第２支持アーム３を第１支持アーム２と共通の枢支ピン１７で枢支しているので、部品点数が少なくなり、構造がより簡素化されている。
【図面の簡単な説明】
【００２４】
【図１】本発明の実施の一形態を示すドラムのワイヤロープ乱巻防止装置の正面図である。
【図２】巻層数が１層の状態を示すワイヤロープ乱巻防止装置の正面図である。
【図３】図１のＡ−Ａ線断面図である。
【図４】本発明の他の実施の形態を示すドラムのワイヤロープ乱巻防止装置の正面図である。
【図５】巻層数が１層の状態を示すワイヤロープ乱巻防止装置の正面図である。
【図６】図４のＢ−Ｂ線断面図である。
【符号の説明】
【００２５】
１      ワイヤロープ乱巻防止装置
２      第１支持アーム
３      第２支持アーム
４      支持ブラケット
５      スプリング
６      枢支ピン
７      枢支ピン
８      ドラム
８Ｆ    巻付面
９      ワイヤロープ
１０    フレーム
１１    ワイヤロープ乱巻防止装置
１７    枢支ピン
２２    押えローラ
３３    押えローラ
８８    ドラム軸
【図１】
2006168874.tif 000003
【図２】
2006168874.tif 000004
【図３】
2006168874.tif 000005
【図４】
2006168874.tif 000006
【図５】
2006168874.tif 000007
【図６】
2006168874.tif 000008